【手続補正書】
【提出日】平成24年5月11日(2012.5.11)
【手続補正１】
【補正対象書類名】特許請求の範囲
【補正対象項目名】全文
【補正方法】変更
【補正の内容】
【特許請求の範囲】
【請求項１】
電子デバイス（１０２）への供給電力量を制御するように構成されている電源マネージャ（１０６）であって、
前記電子デバイス（１０２）は、前記電源マネージャ（１０６）に接続されており、かつその動作中にワークロードを有するデバイスであり、前記電子デバイス（１０２）は、更にハードウェアモニタ（１０４）に接続されており、前記ハードウェアモニタ（１０４）は前記電子デバイス（１０２）のワークロードを監視し、かつ該監視している前記電子デバイス（１０２）のワークロードの指標値を示す信号を生成し、前記電源マネージャ（１０６）は、
ワークロード周波数及びワークロード位相を検出するワークロード検出機構（２０２）であって、前記監視されているワークロード指標値を受信し、前記監視されているワークロード指標値を示す信号におけるエッジを検出することによって該ワークロードのワークロード周波数及びワークロード位相を検出し、かつ前記検出されたエッジに基づいて、検出されたワークロード周波数を示す信号及び検出されたワークロード位相を示す信号を生成するように構成されている、前記ワークロード検出機構（２０２）と、
前記ワークロード検出機構（２０２）に接続されているワークロード予測機構（２０４）であって、前記検出されたワークロード周波数を示す信号及び検出されたワークロード位相を示す信号を前記ワークロード検出機構（２０２）から受信し、該受信した、前記検出されたワークロード周波数を示す信号及び前記検出されたワークロード位相を示す信号に基づいて前記電子デバイス（１０２）の将来ワークロードを予測し（ここで、該予測される将来ワークロードは、前記ワークロード周波数及びワークロード位相が検出された時点の次の周期に前記電子デバイス（１０２）へ供給されるべき電力量を表す。）、かつ前記電子デバイス（１０２）の予測される将来ワークロードに基づいて前記電子デバイス（１０２）への供給電力量を制御するように構成されている、前記ワークロード予測機構（２０４）と、
を含む、前記電源マネージャ（１０６）。
【請求項２】
前記検出されるエッジが、前記監視されているワークロード指標値を示す信号の第１の立上りエッジを含む、請求項１記載の電源マネージャ（１０６）。
【請求項３】
前記検出されるエッジが、前記監視されているワークロード指標値を示す信号の第１の立下りエッジを含む、請求項１記載の電源マネージャ（１０６）。
【請求項４】
前記検出されるエッジが、前記監視されているワークロード指標値を示す信号の第２の立上りエッジを含み、前記監視されているワークロード指標値を示す信号の第１の立上りエッジと第２の立上りエッジとの間の時間差が、前記検出されたワークロード周波数を示す信号又は前記検出されたワークロード位相を示す信号の将来エッジを予測するための基礎を提供し、かつ前記電源マネージャ（１０６）が、更に前記監視されているワークロード指標値を示す信号の予測される将来エッジに基づいて前記電子デバイス（１０２）への供給電力量を制御するように構成されている、請求項２記載の電源マネージャ（１０６）。
【請求項５】
前記検出されるエッジが、前記監視されているワークロード指標値を示す信号の第２の立下りエッジを含み、前記監視されているワークロード指標値を示す信号の第１の立下りエッジと第２の立下りエッジとの間の時間差が、前記検出されたワークロード周波数を示す信号又は前記検出されたワークロード位相を示す信号の将来エッジを予測するための基礎を提供し、かつ前記電源マネージャ（１０６）が、更に前記監視されているワークロード指標値を示す信号の予測される将来エッジに基づいて前記電子デバイス（１０２）への供給電力量を制御するように構成されている、請求項３記載の電源マネージャ（１０６）。
【請求項６】
前記電源マネージャ（１０６）が、前記監視されているワークロード指標値を示す信号の予測される将来エッジの発生時刻の近傍に次回の監視期間が位置するように次回の監視期間の実行時刻を選定し、かつ前記次回の監視期間に前記ハードウェアモニタ（１０４）を監視するように構成されている、請求項４記載の電源マネージャ（１０６）。
【請求項７】
前記電源マネージャ（１０６）が、前記ハードウェアモニタ（１０４）の追跡のために監視トレースを生成し、かつ前記監視トレースの前記ワークロード周波数と基準時刻に対する前記ワークロード位相とを判定するように構成されている、請求項１記載の電源マネージャ（１０６）。
【請求項８】
前記ハードウェアモニタ（１０４）が前記電源マネージャ（１０６）に一体に組込まれている、請求項１記載の電源マネージャ（１０６）。
【請求項９】
電子デバイス（１０２）と、
前記電子デバイス（１０２）に接続されているハードウェアモニタ（１０４）であって、前記電子デバイス（１０２）のワークロードを監視し、かつ該監視している前記電子デバイス（１０２）のワークロードの指標値を示す信号を生成するように構成されている、前記ハードウェアモニタ（１０４）と、
前記監視されているワークロード指標値を示す信号を受信するように接続されている電源マネージャ（１０６）であって、前記監視されているワークロード指標値を示す信号におけるエッジを検出することによってワークロード周波数及びワークロード位相を検出し、かつ前記検出されたワークロード周波数を示す信号及び前記検出されたワークロード位相を示す信号に基づいて前記電子デバイス（１０２）の将来ワークロードを予測する（ここで、該予測される将来ワークロードは、前記ワークロード周波数及びワークロード位相が検出された時点の次の周期に前記電子デバイス（１０２）へ供給されるべき電力量を表す。）ように構成されている、前記電源マネージャ（１０６）と、
を含む、電子システム（１００）。
【請求項１０】
前記ワークロードが実質的に周期性を有する、請求項９記載の電子システム（１００）。
【請求項１１】
電子デバイス（１０２）への供給電力量を管理する電源管理方法であって、
監視期間中にハードウェアモニタ（１０４）を監視するステップと、
前記監視の結果を監視トレースの形で格納するステップと、
前記監視トレースの中の少なくとも２つのエッジを検出するステップと、
ワークロード周波数と基準時刻に対するワークロード位相とを判定するステップ（ここで、前記基準時刻は、前記監視トレースの中の少なくとも２つのエッジのうちの一方の発生時刻に相当する、ワークロード周期の開始時刻を表す。）と、
前記ワークロード周波数及びワークロード位相に基づいて、前記基準時刻の後の次回の周期の将来ワークロードを予測するステップと、
を含む、前記電源管理方法。
【請求項１２】
前記監視結果が監視トレースの形で格納されるようにしており、前記方法が、
前記監視トレースの中の少なくとも２つのエッジを検出するステップと、
前記監視トレースに基づいて前記ワークロード周波数と基準時刻に対する前記ワークロード位相とを判定するステップと、
前記ワークロード周波数と前記ワークロード位相とに基づいて将来ワークロードを予測するステップと、
前記予測に基づいて前記電子デバイス（１０２）への供給電力量を制御するステップと、
を更に含む、請求項１１記載の方法。
【請求項１３】
前記監視トレースの将来エッジの発生時刻を予測するステップと、
予測された将来エッジの発生時刻の近傍に次回の監視期間が位置するように次回の監視期間の実行時刻を選定するステップと、
前記次回の監視期間に前記ハードウェアモニタ（１０４）を監視するステップと、
を更に含む、請求項１１記載の方法。
【請求項１４】
監視期間中にハードウェアモニタ（１０４）を監視するステップと、
前記監視の結果を監視トレースの形で格納するステップと、
前記監視トレースの中の少なくとも２つのエッジを検出するステップと、
ワークロード周波数と基準時刻に対するワークロード位相とを判定するステップ（ここで、前記基準時刻は、前記監視トレースの中の少なくとも２つのエッジのうちの一方の発生時刻に相当する、ワークロード周期の開始時刻を表す。）と、
前記ワークロード周波数及びワークロード位相に基づいて、前記基準時刻の後の次回の周期の将来ワークロードを予測するステップと、
を含む方法の前記ステップを実行するためのコンピュータコードから成るコンピュータプログラム製品。